【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
対話型入力システムであって、
コントローラを有する双方向面と、
コンピュータ装置を前記双方向面に接続するプラグ・アンド・プレイ・ケーブルであって、記憶装置と、前記プラグ・アンド・プレイ・ケーブルがコンピュータ装置に接続されたとき、該コンピュータ装置によって自動的に実行される、前記記憶装置に格納されているソフトウェアと、を含むプラグ・アンド・プレイ・ケーブルと、
前記プラグ・アンド・プレイ・ケーブルを介して前記コンピュータ装置に転送され、前記コンピュータ装置と前記双方向面を自動的に較正するために前記コンピュータ装置によって使用される、前記コントローラ上に格納された設定と、
を有し、
前記ソフトウェアは、前記プラグ・アンド・プレイ・ケーブルの前記コンピュータ装置との接続が外れたことを検出し、それに応答して実行を終了するように作動し、前記コンピュータ装置はその後前記ソフトウェアと前記設定を永続的に格納しない、
対話型入力システム。
【請求項２】
前記プラグ・アンド・プレイ・ケーブルがユニバーサル・シリアル・バス・インタフェースを含む、請求項1に記載の対話型入力システム。
【請求項３】
前記記憶装置は、自動実行のために前記ソフトウェアを指定するautorun.inf fileを格納する、 請求項２に記載の対話型入力システム。
【請求項４】
前記プラグ・アンド・プレイ・ケーブルは、コンパクト・ディスク・ヒューマン・インタフェース装置（CD HID）プロフィールを含む、請求項３に記載の対話型入力システム。
【請求項５】
前記ソフトウェアは前記コンピュータ装置上の一時的な場所にコピーされ、かつそれから実行され、前記ソフトウェアは、前記プラグ・アンド・プレイ・ケーブルが前記コンピュータ装置との接続を外されると、終了させられ、前記の一時的な場所から削除される、請求項２に記載の対話型入力システム。
【請求項６】
前記ソフトウェアは、前記ソフトウェアを後で削除する要求を、前記コンピュータ装置のオペレーティングシステムに登録する、請求項２に記載の対話型入力システム。
【請求項７】
前記ソフトウェアは前記コンピュータ装置上の一時的な場所にコピーされ、かつそれから実行され、前記プラグ・アンド・プレイ・ケーブルが前記コンピュータ装置との接続を外されると、終了させられ、前記の一時的な場所から削除される、請求項１に記載の対話型入力システム。
【請求項８】
前記ソフトウェアは、前記ソフトウェアを後で削除する要求を、前記コンピュータ装置のオペレーティングシステムに登録する、請求項１に記載の対話型入力システム。
【請求項９】
前記ソフトウェアは、前記プラグ・アンド・プレイ・ケーブルの前記記憶装置に格納された前記ソフトウェアのインスタンスを実行し、自身のその実行と、前記プラグ・アンド・プレイ・ケーブルの前記記憶装置から実行する前記ソフトウェアのインスタンスを終了し、前記ソフトウェアを前記コンピュータ装置上の一時的な場所から削除する、請求項８に記載の対話型入力システム。
【請求項１０】
双方向面と対話する方法であって、
プラグ・アンド・プレイ・ケーブルをコンピュータ装置と前記双方向面の間に接続することと、
実行のために指定された、前記プラグ・アンド・プレイ・ケーブルのメモリ内に格納されたソフトウェアを自動的に見つけ出し、前記の見つけ出されたソフトウェアを前記コンピュータ装置上で実行することと、
前記双方向面のコントローラ上に格納されている設定を自動的に見つけ出し、該設定を前記プラグ・アンド・プレイ・ケーブルを介して前記コンピュータ装置に転送することと、
前記コンピュータ装置と前記双方向面を、前記設定を用いて自動的に較正することと、
前記プラグ・アンド・プレイ・ケーブルが前記コンピュータ装置との接続を外されると、前記ソフトウェアの実行を終了させることと、
を有し、
前記コンピュータ装置はその後前記ソフトウェアと前記設定を永続的に格納しない、
双方向面と対話する方法。
【請求項１１】
前記の実行することは、前記ソフトウェアを前記コンピュータ装置上の記憶装置にコピーすることを含む、請求項１０に方法。
【請求項１２】
前記ソフトウェアを後で削除する要求を、前記コンピュータ装置のオペレーティングシステムに登録することをさらに有する、請求項１１に記載の方法。
【請求項１３】
双方向面とコンピュータ装置を相互に接続するプラグ・アンド・ケーブルであって、
記憶装置と、
前記記憶装置と通信するハブであって、前記プラグ・アンド・プレイ・ケーブルが前記コンピュータ装置に接続されると、前記記憶装置に格納されているソフトウェアを、自動実行のために前記コンピュータ装置に出力するハブと、
を有し、
前記プラグ・アンド・プレイ・ケーブルが前記双方向面と前記コンピュータ装置を相互に接続すると、前記双方向面のコントローラによって格納された設定を前記コンピュータ装置にさらに通知し、前記設定は、前記コンピュータ装置と前記双方向面を自動的に較正するために前記コンピュータ装置によって使用されるように構成されている、
プラグ・アンド・プレイ・ケーブル。
【請求項１４】
前記ソフトウェアは前記較正設定を、実行中参照する、請求項13に記載のプラグ・アンド・プレイ・ケーブル。
【請求項１５】
前記ソフトウェアは、前記プラグ・アンド・プレイ・ケーブルの前記コンピュータ装置との接続が外れたことを自動的に検出し、それに応答して実行を終了するように作動し、前記コンピュータ装置はその後前記ソフトウェアと前記設定を永続的に格納しない、請求項1４に記載のプラグ・アンド・プレイ・ケーブル。
【請求項１６】
前記双方向面は、画像が投影されるタッチパネルを含み、前記較正設定はタッチパネルと表示画像の座標系をマッピングする、請求項13に記載のプラグ・アンド・プレイ・ケーブル。
【請求項１７】
前記ソフトウェアは前記コンピュータ装置上の一時的な場所にコピーされ、かつそれから実行され、前記ソフトウェアは、前記プラグ・アンド・プレイ・ケーブルが前記コンピュータ装置との接続を外されると、終了させられ、前記の一時的な場所から削除される、請求項13に記載のプラグ・アンド・プレイ・ケーブル。
【請求項１８】
前記ソフトウェアは、前記ソフトウェアを後で削除する要求を、前記コンピュータ装置のオペレーティングシステムに登録する、請求項13に記載のプラグ・アンド・プレイ・ケーブル。
【請求項１９】
対話型システムであって、
コントローラと、
記憶装置を有し、前記コントローラをコンピュータ装置に接続するプラグ・アンド・プレイ・ケーブルと、
前記コンピュータ装置から、コンピュータで生成された画像が表示される対話型ディスプレイと、
前記記憶装置に格納されているソフトウェアの実行時に、前記プラグ・アンド・プレイ・ケーブルを介して前記コンピュータ装置に転送され、前記プラグ・アンド・プレイ・ケーブルの、前記コントローラと前記コンピュータ装置との接続時に、前記コンピュータ装置の表示を前記対話型ディスプレイに自動的にマッピングする、前記コントローラに格納されている較正設定と、
を有する対話型システム。
【請求項２０】
前記のコンピュータで生成された画像がグラフィカル・ユーザ・インタフェースを含む、請求項19に記載の対話型システム。
【請求項２１】
前記プラグ・アンド・プレイ・ケーブルがユニバーサル・シリアル・バス・インタフェースを含む、請求項19に記載の対話型システム。
【請求項２２】
前記較正設定を設定するために、前記コンピュータ装置によって実行される、前記記憶装置に格納された較正設定をさらに有する、請求項19に記載の対話型システム。
【請求項２３】
前記ソフトウェアは前記コンピュータ装置上の一時的な場所にコピーされ、かつそれから実行され、前記ソフトウェアは、前記プラグ・アンド・プレイ・ケーブルが前記コンピュータ装置との接続を外されると、終了させられ、前記の一時的な場所から削除される、請求項22に記載の対話型システム。
【請求項２４】
前記ソフトウェアは、前記ソフトウェアを後で削除する要求を、前記コンピュータ装置のオペレーティングシステムに登録する、請求項22に記載の対話型システム。
【請求項２５】
コンピュータ装置の表示を双方向画面にマッピングする方法であって、
記憶装置を有するプラグ・アンド・プレイ・ケーブルをコンピュータ装置と前記双方向画面の間に接続することと、
前記プラグ・アンド・プレイ・ケーブルの記憶装置に格納されたソフトウェアを実行することと、
前記双方向画面によって与えられた機能と関連する較正設定を、前記プラグ・アンド・プレイ・ケーブルの接続時に前記コントローラから検索することと、
前記較正設定を用いて、前記コンピュータ装置の表示を双方向画面に自動的にマッピングすることと、
を有する、コンピュータ装置のディスプレイを双方向画面にマッピングする方法。
【請求項２６】
前記プラグ・アンド・プレイ・ケーブルが前記コンピュータ装置との接続を外されると、前記ソフトウェアの実行を終了させることをさらに有し、前記コンピュータ装置はその後前記ソフトウェアと前記設定を永続的に格納しない、請求項25に記載の方法。
【請求項２７】
前記の実行することは、前記ソフトウェアを前記コンピュータ装置上の記憶装置にコピーすることを含む、請求項２５に記載の方法。
【請求項２８】
前記ソフトウェアを後で削除する要求を、前記コンピュータ装置のオペレーティングシステムに登録することをさらに有する、請求項２５に記載の方法。
【請求項２９】
コンピュータ装置と対話型システムの間の接続のためのプラグ・アンド・プレイ・ケーブルであって、
記憶装置と、
前記プラグ・アンド・プレイ・ケーブルが前記コンピュータ装置に接続されたとき、前記コンピュータ装置にコピーされて、前記コンピュータ装置から自動的に実行される、前記記憶装置に格納されたソフトウェアと、
前記プラグ・アンド・プレイ・ケーブルによる２方向通信チャネルと、
を有し、
前記対話型システムのコントローラ上に格納された設定が前記通信チャネルを通じて前記コンピュータ装置にコピーされ、前記設定は、前記プラグ・アンド・プレイ・ケーブルが前記コンピュータ装置と前記対話型システムの間に接続されると、前記コンピュータ装置の表示と前記対話型システムの表示を自動的に較正するために、前記コンピュータ装置によって使用されるように構成されている、
コンピュータ装置と対話型システムの接続のためのプラグ・アンド・プレイ・ケーブル。
【手続補正２】
【補正対象書類名】明細書
【補正対象項目名】００１０
【補正方法】変更
【補正の内容】
【００１０】
したがって、一態様によれば、対話型入力システムであって、
コントローラを有する双方向面と、
コンピュータ装置を双方向面に接続するプラグ・アンド・プレイ・ケーブルであって、記憶装置と、前記プラグ・アンド・プレイ・ケーブルがコンピュータ装置に接続されたとき、該コンピュータ装置によって自動的に実行される、記憶装置に格納されているソフトウェアと、を含むプラグ・アンド・プレイ・ケーブルと、
プラグ・アンド・プレイ・ケーブルを介してコンピュータ装置に転送され、コンピュータ装置と双方向面を自動的に較正するためにコンピュータ装置によって使用される、コントローラ上に格納された設定と、
を有し、
前記ソフトウェアは、プラグ・アンド・プレイ・ケーブルのコンピュータ装置との接続が外れたことを検出し、それに応答して実行を終了するように作動し、コンピュータ装置はその後前記ソフトウェアと前記設定を永続的に格納しない、
対話型入力システムが提供される。
【手続補正３】
【補正対象書類名】明細書
【補正対象項目名】００１１
【補正方法】変更
【補正の内容】
【００１１】
一実施態様では、プラグ・アンド・プレイ・ケーブルがユニバーサル・シリアル・バス・インタフェースを含む。記憶装置は、自動実行のために前記ソフトウェアを指定するautorun.inf fileを格納することができる。前記ソフトウェアはコンピュータ装置上の一時的な場所にコピーされ、かつそれから実行され、前記ソフトウェアは、プラグ・アンド・プレイ・ケーブルがコンピュータ装置から接続を外されると、終了させられ、前記の一時的な場所から削除される。
【手続補正４】
【補正対象書類名】明細書
【補正対象項目名】００１２
【補正方法】変更
【補正の内容】
【００１２】
他の態様によれば、双方向面と対話する方法であって、
プラグ・アンド・プレイ・ケーブルをコンピュータ装置と双方向面の間に接続することと、
実行のために指定された、前記プラグ・アンド・プレイ・ケーブルのメモリ内に格納されたソフトウェアを自動的に見つけ出し、前記の見つけ出されたソフトウェアを前記コンピュータ装置上で実行することと、
双方向面のコントローラ上に格納されている設定を自動的に見つけ出し、該設定を前記プラグ・アンド・プレイ・ケーブルを介してコンピュータ装置に転送することと、
コンピュータ装置と双方向面を、前記設定を用いて自動的に較正することと、
プラグ・アンド・プレイ・ケーブルがコンピュータ装置から接続を外されると、前記ソフトウェアの実行を終了させることと、
を有し、
コンピュータ装置はその後前記ソフトウェアと前記設定を永続的に格納しない、
双方向面と対話する方法が提供される。
【手続補正５】
【補正対象書類名】明細書
【補正対象項目名】００１３
【補正方法】変更
【補正の内容】
【００１３】
さらに、他の態様によれば、双方向面とコンピュータ装置を相互に接続するプラグ・アンド・ケーブルであって、
記憶装置と、
記憶装置と通信するハブであって、プラグ・アンド・プレイ・ケーブルがコンピュータ装置に接続されると、記憶装置に格納されているソフトウェアを、自動実行のために前記コンピュータ装置に出力するハブと、
を有し、
プラグ・アンド・プレイ・ケーブルが双方向面とコンピュータ装置を相互に接続すると、双方向面のコントローラによって格納された設定をコンピュータ装置にさらに通知し、前記設定は、コンピュータ装置と双方向面を自動的に較正するためにコンピュータ装置によって使用されるように構成されている、
プラグ・アンド・プレイ・ケーブルが提供される。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
前記ソフトウェアは、実行中に前記較正設定を参照することができる。前記ソフトウェアは、前記プラグ・アンド・プレイ・ケーブルのコンピュータ装置との接続が外れたことを自動的に検出し、それに応答して実行を終了するように作動し、コンピュータ装置はその後前記ソフトウェアと前記設定を永続的に格納しない。
【手続補正８】
【補正対象書類名】明細書
【補正対象項目名】００１６
【補正方法】変更
【補正の内容】
【００１６】
さらに、他の態様によれば、対話型システムであって、
コントローラと、
記憶装置を有し、コントローラをコンピュータ装置に接続するプラグ・アンド・プレイ・ケーブルと、
コンピュータ装置から、コンピュータで生成された画像が表示される対話型ディスプレイと、
記憶装置に格納されているソフトウェアの実行時に、プラグ・アンド・プレイ・ケーブルを介してコンピュータ装置に転送され、プラグ・アンド・プレイ・ケーブルの、コントローラとコンピュータ装置との接続時に、コンピュータ装置の表示を対話型ディスプレイに自動的にマッピングする、コントローラに格納されている較正設定と、
を有する対話型システムが提供される。
【手続補正９】
【補正対象書類名】明細書
【補正対象項目名】００１７
【補正方法】変更
【補正の内容】
【００１７】
さらに他の態様によれば、コンピュータ装置の表示を双方向画面にマッピングする方法であって、
記憶装置を有するプラグ・アンド・プレイ・ケーブルをコンピュータ装置と双方向画面の間に接続することと、
プラグ・アンド・プレイ・ケーブルの記憶装置に格納されたソフトウェアを実行することと、
双方向面によって与えられた機能と関連する較正設定を、プラグ・アンド・プレイ・ケーブルの接続時に前記コントローラから検索することと、
前記較正設定を用いて、コンピュータ装置の表示を双方向画面に自動的にマッピングすることと、
を有する、コンピュータ装置のディスプレイを双方向画面にマッピングする方法が提供される。
さらに、他の態様によれば、コンピュータ装置と対話型システムの間の接続のためのプラグ・アンド・プレイ・ケーブルであって、
記憶装置と、
プラグ・アンド・プレイ・ケーブルがコンピュータ装置に接続されたとき、前記コンピュータ装置にコピーされて、前記コンピュータ装置から自動的に実行される、記憶装置に格納されたソフトウェアと、
プラグ・アンド・プレイ・ケーブルによる２方向通信チャネルと、
を有し、
対話型システムのコントローラ上に格納された設定が通信チャネルを通じてコンピュータ装置にコピーされ、前記設定は、前記プラグ・アンド・プレイ・ケーブルが前記コンピュータ装置と前記対話型システムの間に接続されると、コンピュータ装置の表示と対話型システムの表示を自動的に較正するために、コンピュータ装置によって使用されるように構成されている、
を有する、コンピュータ装置と対話型システムの接続のためのプラグ・アンド・プレイ・ケーブルが提供される。
【手続補正１０】
【補正対象書類名】明細書
【補正対象項目名】００１８
【補正方法】変更
【補正の内容】
【００１８】
プラグ・アンド・プレイ・ケーブルがコンピュータ装置に接続されたとき、コンピュータ装置に自動的にロードされる、プラグ・アンド・プレイ・ケーブル用のソフトウェアをプラグ・アンド・プレイ・ケーブル上に格納することによって、プラグ・アンド・プレイ・ケーブルのユーザーは、プラグ・アンド・プレイ・ケーブルによって提供される機能にアクセスするためにソフトウェア/ドライバーをコンピュータ装置に前もってインストールする必要もなければ、ユーザーが該ソフトウェアを使用するために該コンピュータ装置に対する管理者権限を必要としない。該ソフトウェアは終了時にコンピュータ装置上に永続的には格納されないので、該コンピュータは、プラグ・アンド・プレイ・ケーブルに接続される前と同じ一般状態におかれる。さらに、プラグ・アンド・プレイ・ケーブルに設定を格納することによって、新しいコンピュータがプラグ・アンド・プレイ・ケーブルに接続されたとき、セットアッププロセスを実行する必要はない。